(57)【特許請求の範囲】
【請求項１】
液体カートリッジに収納された液体の種類に応じて該液体カートリッジを選択的に装着可能にする、前記液体カートリッジの種類ごとに定められた形状の識別形状部を備えた液体消費装置に装着される液体カートリッジの製造方法であって、
前記液体消費装置に装着する際に前記識別形状部と対向する柱状で中空のピンを外壁に有する液体カートリッジを準備する第１の工程と、
装着すべき液体カートリッジの種類が合致しないときには前記識別形状部と接触して前記液体消費装置への装着を不能にし、且つ装着すべき液体カートリッジの種類が合致するときには前記液体消費装置への装着を可能にする形状である誤装着防止部を、前記液体カートリッジの前記ピンを熱加工することによって形成する第２の工程と、を有する液体カートリッジの製造方法。
【請求項２】
前記第１の工程において、複数の前記ピンを有する前記液体カートリッジを準備し、
前記第２の工程において、前記複数のピンのうちの少なくとも１つを除くピンを熱溶融させて前記誤装着防止部を形成する、請求項１に記載の液体カートリッジの製造方法。
【請求項３】
前記第２の工程において、前記複数のピンを水平面に対して鉛直方向に立てた状態で、熱加工手段により前記ピンの先端から前記外壁に向けて前記ピンを押圧しつつ前記熱加工を行い、該ピンを前記外壁に一体化させる、請求項１または２に記載の液体カートリッジの製造方法。
【請求項４】
前記複数のピンは中空の円柱形状である、請求項１乃至３のいずれか１項に記載の液体カートリッジの製造方法。
【請求項５】
前記第１の工程において前記ピンを金型による成型で形成し、前記金型は収納する前記液体の種類が異なる液体カートリッジ間で同じである、請求項１乃至４のいずれか１項に記載の液体カートリッジの製造方法。
【請求項６】
前記外壁を水平面に平行に維持した状態で前記第２の工程を行う、請求項１乃至５のいずれか１項に記載の液体カートリッジの製造方法。
【発明の詳細な説明】
【技術分野】
【０００１】
本発明は、液体消費装置に対して交換可能に構成された液体カートリッジ及び当該液体カートリッジの製造方法に関するものである。
【背景技術】
【０００２】
液体消費装置としてのインクジェット記録装置は、記録媒体に対してインクなどの液体を吐出して記録を行う。インクジェット記録装置には、吐出するインクを収納するインクカートリッジを交換可能に構成されているものがある。通常、インクジェット記録装置は、異なる種類のインクを取り扱うことができるように、複数のインクカートリッジを搭載できる。
【０００３】
交換式のインクカートリッジを搭載するインクジェット記録装置においては、インクカートリッジを装着する際にインクの混色を回避するために、誤装着を防止する構成を有しているものがある。これにより、インクジェット記録装置に対して、インクの種類に応じた適切な箇所に各々のインクカートリッジを装着することができる。
【０００４】
特許文献１には、インクカートリッジに貯留するインクの種類ごとに定められた固有の係止部ボスがインクカートリッジの外装ケースに形成されることが記載されている。インクジェット記録装置の所定の箇所に、指定のインク種と異なる種類のインクを収納するインクカートリッジを装着しようとすると、インクジェット記録装置側に配置された係止部と、インクカートリッジの係止部ボスとが当たり、装着不可能な状態になる。これにより、インクカートリッジの誤装着が防止される。
【０００５】
図１１は、特許文献１に記載のインクカートリッジの模式図である。インクカートリッジ１００は外装ケース６００を有し、外装ケース６００にはインクを導出するインク供給口７００が配されている。さらに、誤装着を防止する係止部ボス６２０は、インクカートリッジに２つ以上設けられた後に、インクの種類に応じて決められた少なくとも１本のみを残して除去されている。インクジェット記録装置側の係止部は、対応する種類のインクを収納するインクカートリッジの、除去された係止部ボスがあった箇所６３０と対応する個所のみ突出している。そして、インク種の異なるインクカートリッジを装着しようとすると、記録装置側の係止部とインクカートリッジの係止部ボス６２０とが当たり、装着が防止される。この構成によれば、インクカートリッジの外装ケース６００およびインクカートリッジを収納する記録装置側の収納部の金型が一種類で済み、コストダウンを実現することができるとされている。
【先行技術文献】
【特許文献】
【０００６】
【特許文献１】特開２００４−００９６８７号公報
【発明の概要】
【発明が解決しようとする課題】
【０００７】
特許文献１では、インクカートリッジの係止部ボスを削除するための具体的な方法については記載されていない。これに対し、切断加工によって係止部ボスの削除を行うことが考えられるが、この場合、切断した係止部ボスがゴミとして排出される。この排出されたゴミが、係止部ボスを切断する切断装置に挟まると、切断装置の稼働率を低下させてしまう恐れがある。
【０００８】
また、切断加工を行うと、係止部ボスやその周辺に機械的なストレスがかかり、場合によっては、除去した係止部ボスの周辺に変形やクラックが生じ、インクカートリッジの外装ケースの機械的強度が低下することがある。特に、誤装着を防止するための係止部ボスの周辺の強度が低下すると、インクカートリッジを誤った箇所に装着しようとした場合に、係止部ボスが破損してストッパーとして機能しなくなり、誤装着が行われてインクの混色を引き起こす恐れがある。
【０００９】
本発明は、液体を収納するカートリッジの外壁に形成される、誤装着を防止する部分を、ゴミの排出を防止しつつ高い強度で形成することを可能にする液体収納容器及びその製造方法を提供する。
【課題を解決するための手段】
【００１０】
本発明の液体カートリッジの製造方法は、液体カートリッジに収納された液体の種類に応じて該液体カートリッジを選択的に装着可能にする、前記液体カートリッジの種類ごとに定められた形状の識別形状部を備えた液体消費装置に装着される液体カートリッジの製造方法に関する。本製造方法は、前記液体消費装置に装着する際に前記識別形状部と対向する柱状で中空のピンを外壁に有する液体カートリッジを準備する第１の工程と、装着すべき液体カートリッジの種類が合致しないときには前記識別形状部と接触して前記液体消費装置への装着を不能にし、且つ装着すべき液体カートリッジの種類が合致するときには前記液体消費装置への装着を可能にする形状である誤装着防止部を、前記液体カートリッジの前記ピンを熱加工することによって形成する第２の工程と、を有する。
【発明の効果】
【００１３】
本発明では、誤装着防止部を熱加工によって形成するため、ゴミを排出することがない。また、加工時に誤装着防止部に機械的なストレスが与えられることがないため、誤装着防止部周辺の強度の低下を抑制できる。
【図面の簡単な説明】
【００１４】
【図１】（ａ）は実施形態１における熱加工工程前のインクカートリッジの斜視図を示す。（ｂ）は実施形態１における熱加工工程前のインクカートリッジの正面図を示す。
【図２】（ａ）は実施形態１における熱加工工程後のインクカートリッジの斜視図を示す。（ｂ）は実施形態１における熱加工工程後のインクカートリッジの正面図を示す。
【図３】実施形態１における熱加工工程中の様子を示す斜視図である。
【図４】実施形態１における熱加工工程後のインクカートリッジの装着防止部がプリンター側の識別形状部と不適合になっている状態を示す。
【図５】（ａ）は熱加工中の図３に示すＢ−Ｂ断面の拡大図を示す。（ｂ）は熱加工工程後の被加工部の拡大図を示す。
【図６】（ａ）は実施形態２における熱加工工程前のインクカートリッジの斜視図を示す。（ｂ）は実施形態２における熱加工工程前のインクカートリッジの正面図を示す。
【図７】（ａ）は実施形態２における熱加工工程後のインクカートリッジの斜視図を示す。（ｂ）は実施形態２における熱加工工程後のインクカートリッジの正面図を示す。
【図８】実施形態２における熱加工工程中の状態を示す斜視図である。
【図９】実施形態２における熱加工工程後のインクカートリッジの誤装着防止部がプリンター側の識別形状部と不適合になっている状態を示す。
【図１０】（ａ）は実施形態２における熱加工工程中の状態を示す。（ｂ）は図１０（ａ）に示す熱加工工程後の被加工部の拡大図を示す。
【図１１】特許文献１に記載のインクカートリッジを模式的に示した図である。
【発明を実施するための形態】
【００１５】
以下に本発明の実施形態について図面を参照しながら説明を行う。以下では、インクを収納し、液体消費装置としてのプリンターに着脱可能なインクカートリッジを例に挙げて説明する。しかし、本発明は、これに限定されず、任意の液体を収納して当該液体を消費する任意の液体消費装置に着脱可能な液体カートリッジに適用できる。このような液体消費装置としては、例えばインクジェット記録装置のような液体吐出装置がある。
【００１６】
（実施形態１）
本実施形態において、インクカートリッジの製造方法は、インクカートリッジを準備する工程（第１の工程）と、プリンターへの誤装着を防止するための誤装着防止部をインクカートリッジの外壁に熱加工によって形成する熱加工工程（第２の工程）とを有する。ここで、プリンターへの誤装着とは、プリンターの特定の種類のインクを処理すべき被装着部に、当該インクの種類とは異なるインクを収納するインクカートリッジを装着しようとする行為を指す。
【００１７】
図１（ａ）及び（ｂ）は、本発明の実施形態１における熱加工工程前のインクカートリッジ１００の構成を示す斜視図および正面図である。インクカートリッジ１００は、インクを収納する液体収納容器２００と、カバー部材３００とを含んでいる。液体収納容器２００には、インクを導出する供給口２１０と、供給口２１０とプリンター側のニードル（不図示）との間の位置決めを行う位置決め部２２０とが、形成されている。本実施形態では、供給口２１０および位置決め部２２０は、インクカートリッジ１００をプリンターに装着する際の装着方向の前面、つまり図１（ｂ）に示されている面に配されている。カバー部材３００の外壁には、プリンターの誤った箇所にインクカートリッジ１００を装着するという誤装着を防止する誤装着防止部３１０となるべき領域３１５が、装着方向の前面に配されている。図１に示す例では、この領域３１５に、カバー部材３００の外壁から突出する６本の柱状の識別用ピン３２０が設けられている。本実施形態１において、識別用ピン３２０は円柱形状であることが好ましい。なお、識別用ピン３２０の数は複数あればよく、識別用ピン３２０の形状は上記例に限らず、様々変更可能である。このインクカートリッジ１００は、金型を用いて射出成型やブロー成型を行うことにより準備できる。この場合、インクカートリッジ１００を構成する材料としては、熱可塑性樹脂を用いることが好ましい。
【００１８】
図２（ａ）及び（ｂ）は、熱加工工程後のインクカートリッジ１００を示す斜視図および平面図である。熱加工工程では、図１に示す識別用ピン３２０のうちの少なくとも１つを除くピンを熱溶融させて誤装着防止部３１０を形成する。熱加工工程により、いくつかの識別用ピン３２０はつぶされているため、誤装着防止部３１０は、１本または複数本の識別用ピン３２０と、熱加工によってつぶされた被加工部３３０とを有している。図２（ｂ）に示す例では、図中の左から３、５、６番目の識別用ピンが熱加工によって潰されて成る被加工部３３０を形成している。被加工部３３０は、識別用ピン３２０がつぶれて高さが低くなり、その直径が広がって、インクカートリッジ１００の外壁と一体化している。実施形態１における識別用ピン３２０は、熱を加えて溶かしてつぶされている。熱加工工程における加工時間や加工のしやすさを考慮すると、識別用ピン３２０の形状は中空の円柱形状であることが好ましい。他の実施形態として、識別用ピン３２０は、中実の円柱形状であっても良い。ただし、識別用ピン３２０の形状は、これに限定されず、円錐や四角柱など様々な形状であって良い。
【００１９】
図３は実施形態１における熱加工中の様子を示している。インクカートリッジ１００を構成する部材は、融点が高くなく熱加工が行いやすいポリエチレンやポリプロピレンなどの熱可塑性樹脂を用いることが好ましい。本実施形態１のカバー部材３００は、インクカートリッジ１００の供給口２１０を落下などの衝撃から保護する部材であることが好ましい。そのため、カバー部材３００としては、耐衝撃性の高いアクリロニトリル−ブタジエン−スチレン共重合合成樹脂、いわゆるＡＢＳ樹脂を使用することがより好ましい。
【００２０】
本実施形態１では、識別用ピン３２０は、一例として、高さ１３．５ｍｍ、直径φ５ｍｍ、肉厚０．７ｍｍの中空の円柱形状としている。熱加工は、熱加工手段としての熱溶着機（インパルスウェルダー）にて行うことができる。熱溶着機の加工ホーン５００の形状は、直径φ８ｍｍ、加工面の凹部高さ１．６ｍｍのものを使用した。加工ホーン５００は、識別用ピン３２０の先端からインクカートリッジの外壁に向けて識別用ピン３２０を押圧しつつ熱を供給することが好ましい。
【００２１】
熱加工の条件は、一例として、加工温度３６０℃、押し付け荷重７８．４Ｎにて、加熱および押し付け時間を１０．３秒、その後の冷却時間を８秒とした。このようにして、全体として約２０秒で識別用ピン３２０をつぶすことが可能である。熱加工時には、複数の識別用ピン３２０を水平面に対して鉛直方向（重力方向）に立てた状態で、加工ホーン５００によりピン３２０の先端からインクカートリッジの外壁に向けてピン３２０を押圧することが好ましい。これにより、加工時に溶融した被加工部３３０がその周囲に均等に広がるため、インクカートリッジの外壁の被加工部３３０の強度が増すという利点がある。また、加工ホーン５００を、水平方向、または重力に対して下から識別用ピン３２０に押し当てる場合、加工時に溶融した部分が偏って流れて加工ホーン５００の先端よりはみ出してバリを形成し、プリンター側の被装着部と干渉してしまう可能性がある。上記のように、熱加工にて、ゴミを排出することなく誤装着防止部３１０を形成することができる。また、熱加工では、被加工部３３０に機械的なストレスを与えないため、被加工部３３０の強度の低下を抑制できる。場合によっては、被加工部３３０が、インクカートリッジ１００の外壁に肉厚部を形成するため、インクカートリッジの外壁の強度を増大させるこという効果もある。
【００２２】
図４は、図２（ａ）のＡ−Ａ断面の拡大図であり、実施形態１における熱加工工程後のインクカートリッジ１００がプリンターに誤装着しようとした様子を示している。プリンターは、通常、異なる種類のインクカートリッジが装着される複数の被装着部を有している。各々の被装着部には、所望の種類のインクを収納したカートリッジのみを選択的に装着可能にする形状を有する識別形状部４１０が配されている。図４に示す例では、プリンターのフレーム４００に、識別形状部４１０として複数のピンが設けられている。このピンの配置は、装着されるべきインクカートリッジのインクの種別ごとに定められている。
【００２３】
図４では、誤装着しようとしているところであるため、インクカートリッジ１００の誤装着防止部３１０がプリンター側の識別形状部４１０と接触して、インクカートリッジ１００のプリンターへの装着が不能になっている状態を示している。プリンター側の識別形状部４１０は、装着されるべきインクカートリッジ１００のインクの種類（色）に合わせて形成されており、このプリンター側の識別形状部４１０と誤装着防止部３１０の識別用ピン３２０が適合していない。そのため、識別形状部４１０と識別用ピン３２０とが突き当り、誤装着が防止される。この突き当たりにより、プリンター側のジョイント部（不図示）が、インクカートリッジ１００の供給口２１０に挿入されることを防ぎ、インクの混色を防止できる。
【００２４】
一方、インクカートリッジ１００をプリンターの正しい箇所に装着する場合には、インクカートリッジ１００の誤装着防止部３１０とプリンターの識別形状部４１０とが合致して、プリンターへの装着を可能にする。具体的には、インクカートリッジ１００の誤装着防止部３１０において、被加工部３３０は、プリンターの識別形状部４１０を構成するピン位置に対応して設けられており、識別用ピン３２０は、識別形状部４１０を構成するピンが無い位置に設けられている。上記熱加工工程では、誤装着防止部３１０がこのように機能するように、所定の識別用ピン３２０を加工する。
【００２５】
図５（ａ）は、実施形態１における熱加工工程中の様子を示している、図３によるＢ−Ｂ断面に相当する拡大図である。図５（ａ）では、加工ホーン５００が識別用ピン３２０を溶解し変形させて、誤装着防止部３１０の被加工部３３０を形成した状態を示している。
【００２６】
図５（ｂ）は、図５（ａ）に示す熱加工後の被加工部３３０の拡大図であり、熱加工によって被加工部３３０に相当するインクカートリッジの外壁が肉厚に形成されている状態を示している。
【００２７】
識別用ピン３２０が円柱形状の場合、熱加工によって図５（ｂ）に示すように溶融した被加工部３３０は、カバー部材３００の外壁、より具体的には誤装着防止部の底面３４０と一体化することで肉厚部が形成される。インクカートリッジの誤装着時、識別用ピン３２０への突き当たりの衝撃は誤装着防止部の底面３４０で受け止めることになる。この被加工部３３０の肉厚により、識別用ピン３２０の周辺の底面３４０は強度を増すため、誤装着時の衝撃を受けても底面３４０の変形や破損を抑制することが可能となる。
【００２８】
また、本実施形態１に示す熱加工方法では、図３に示すように加工ホーン５００を識別用ピン３２０の先端から直進させて加工を行うことが好ましい。これによれば、誤装着防止部３１０の領域で、識別用ピン３２０同士のピッチ（中心間距離）は加工ホーン５００の直径程度であって良く、識別用ピン３２０を配置するスペースを小さくすることができる。
【００２９】
これに対し、識別用ピンを切断加工によって除去する場合には、識別用ピンを切断するための刃物をピンの根元に挿入しなければならないため、各々の識別用ピンの周りにはある一定のスペースが必要となる。そのため、識別用ピンを配置するスペースが大きくなってしまう。省スペースになるように識別用ピンを構成すると、識別用ピン自体のサイズを小さくする必要があり、誤装着防止部の強度が低下してしまう。よって、切断加工においては、誤装着防止部を省スペースで構成することが難しい。
【００３０】
一方、本実施形態では、熱加工によって識別用ピンを加工するため、識別用ピン３２０を高密度に配置することができる。これにより省スペースで且つ、強度の高い誤装着防止部３１０を設けることが可能となる。
【００３１】
上記実施形態では、第１の工程において、誤装着防止部となるべき領域３１５を、どのインクを収納するインクカートリッジに対しても同じ形状で形成しておき、その後、熱加工工程によってインクの種類ごとに異なる誤装着防止部３１０にしている。このようにすることで、第１の工程でインクカートリッジ１００の全体的な形状を作成する際に、射出成型やブロー成型などで用いられる金型が一種類で済むため、金型の起工に要する費用を削減することができる。
【００３２】
（実施形態２）
本実施形態においても、インクカートリッジの製造方法は、インクカートリッジを準備する工程と、プリンターへの誤装着を防止するための誤装着防止部を当該インクカートリッジの外壁に熱加工によって形成する熱加工工程と、を有する。
【００３３】
図６（ａ）及び（ｂ）は実施形態２における熱加工工程前のインクカートリッジ１００の構成を示す図である。インクカートリッジ１００は液体収納容器２００とカバー部材３００とを含んでいる。液体収納容器２００には、インクを導出する供給口２１０と、供給口２１０とプリンター側のニードルとの位置決めを行う位置決め部２２０とが、装着方向の前面に配されている。カバー部材３００は、誤装着を防止する誤装着防止部３１０となるべき領域３１５が装着方向の前面に配されている。この領域３１５は、平面状の外壁からなる識別用平面３２５より形成される。
【００３４】
図７（ａ）および（ｂ）は、本発明の実施形態２における熱加工工程後のインクカートリッジ１００の状態を示した図である。熱加工工程において、識別用平面３２５の一部を熱溶融して少なくとも１つの穴部（被加工部）３３０を開けて誤装着防止部３１０を形成する。したがって、誤装着防止部３１０は、平面状の外壁（識別用平面）３２５に形成された１または複数の穴部３３０を有する。
【００３５】
本実施形態２においては、誤装着時にプリンター側の識別形状部と突き当たるべきインクカートリッジ側の形状を平面に形成している。図８は実施形態２における熱加工中の状態を示す斜視図である。図８に示すように、加工時に溶融した材料が被加工部３３０の周囲に均等に広げるため、上記の識別用平面３２５を水平面に平行に維持した状態で熱加工することが好ましい。このとき、識別用平面３２５の真上より加工ホーン５００を直進させ押し当て加工を行うことが好ましい。熱加工によって、溶かされた外壁の一部が被加工部３３０の外周部に凸形状を形成することから、加工によってゴミを排出することなく識別用平面３２５を加工することが可能となる。また、被加工部３３０の周囲の外壁が肉厚になることから、穴部の周辺の強度を増大させることもできる。
【００３６】
図９は、実施形態２における熱加工工程後の誤装着防止部３１０がプリンター側の識別形状部４１０に突き当たり装着不能な状態となっている様子を示し、図７（ａ）によるＣ−Ｃ断面の拡大図である。プリンター側の識別形状部４１０は、装着されるインクカートリッジ１００に収納されるインクの種類に合わせて形成されている。図９に示す場合では、このプリンター側の識別形状部４１０と誤装着防止部３１０の識別用平面３２５とが適合していないため、識別形状部４１０と識別用平面３２５とが突き当り装着できない状態を示している。この突き当たりにより、インクカートリッジ１００をプリンターに誤装着しようとしたときには、プリンター側のジョイント部（不図示）が供給口２１０に挿入されてインクの混色が生じることを防いでいる。
【００３７】
図１０（ａ）は、実施形態２における熱加工中の誤装着防止部３１０の被加工部３３０の状態を示し、図８によるＤ−Ｄ断面に想到する部分の拡大図を示している。誤装着防止部３１０となるべき識別用平面３２５が、熱せられた加工ホーン５００によって溶解し拡張することで被加工部３３０が形成されている。
【００３８】
図１０（ｂ）は、図１０（ａ）に示す熱加工後の被加工部３３０の拡大図であり、熱加工によって被加工部３３０の外周部３５０が凸形状に形成されている状態を示している。熱加工によって識別用平面３２５を溶かして被加工部３３０が形成されている。その際に、溶融した部分にて被加工部３３０の外周部に凸形状を形成することができる。このように、被加工部３３０の外周が凸形状に形成されると、誤装着時の衝撃で破損の起点となる強度の弱い穴部３３０の周辺が肉厚になり、穴部３３０周辺の強度が増すことになる。これにより、誤装着時に誤装着防止部３１０の衝撃を受けても破損することなく、信頼性を向上させることができる。
【００３９】
また、本実施形態２に示す熱加工方法では、図８に示すように、識別用平面３２５の真上から加工ホーン５００を直進させて加工を行うことが好ましい。この場合、誤装着防止部３１０領域で加工するために必要とされるスペースは加工ホーン５００の径程度の省スペースで済む。以上のことからも、熱加工では省スペースで且つ、強度の高い複数の誤装着防止部３１０を設けることが可能となる。
【００４０】
上記実施形態１，２では、誤装着防止部３１０は、インクカートリッジ１００のカバー部材３００の外壁に設けられているが、誤装着防止部３１０は、インクカートリッジ１００の、プリンター側の識別形状部と対向する外壁であればどこに設けられていても良い。
【００４１】
インクカートリッジ１００の、熱加工によって形成される誤装着防止部は、上述した形状に限定されず、様々変更可能である。プリンターは、インクカートリッジの被装着部に、処理すべきインクの種類ごとに定められ、インクカートリッジに収納されたインクの種類に応じて該インクカートリッジを選択的に装着可能にする形状をした識別形状部を有する。これに対し、インクカートリッジの誤装着防止部は、収納されるインクが上記の処理すべきインクと異なるときには識別形状部と接触してプリンターへの装着を不能にする形状をしている。その上で、誤装着防止部は、上記の処理すべきインクと同一であるときには識別形状部と合致してプリンターへのインクカートリッジの装着を可能にする形状をしていれば良い。
【００４２】
さらに、上述した液体カートリッジと、当該液体カートリッジが装着される、例えばプリンターのような液体消費装置と、を備えた液体処理装置も本発明に含まれる。
【符号の説明】
【００４３】
１００  インクカートリッジ
３１０  誤装着防止部
３２０  識別用ピン
３２５  識別用平面
３３０  被加工部
【図１】
0005762028.tif 000002
【図２】
0005762028.tif 000003
【図３】
0005762028.tif 000004
【図４】
0005762028.tif 000005
【図５】
0005762028.tif 000006
【図６】
0005762028.tif 000007
【図７】
0005762028.tif 000008
【図８】
0005762028.tif 000009
【図９】
0005762028.tif 000010
【図１０】
0005762028.tif 000011
【図１１】
0005762028.tif 000012